(57)【要約】      （修正有）【課題】手渡しによる給餌を介して「かじらせる」動作を鳥に付与することで、鳥のストレス解消と、体の動きを確保できる。【構成】鳥籠の餌冶具に取付け及び／又は把持可能な構造の鉱物飼料であり、鉱物飼料１は、棒形状であり、棒形状を利用し、餌冶具に取付け、取外し自在としたことを特徴とするとともに、手Ｈで把持可能な長さを備えたことを特徴とする鳥用の鉱物飼料である。【選択図】図３
0003111905.tif 000002
【実用新案登録請求の範囲】
【請求項１】
鳥籠の餌冶具に取付け及び／又は把持可能な構造の鉱物飼料であって、
この鉱物飼料は、棒形状であり、この棒形状を利用し、前記餌冶具に取付け、取外し自在としたことを特徴とするとともに、手で把持可能な長さを備えたことを特徴とする鳥用の鉱物飼料。
【請求項２】
請求項１に記載の鉱物飼料は、長手方向においてテーパー形状であって、断面形状が環状であることを特徴とする鳥用の鉱物飼料。
【請求項３】
請求項１に記載の鉱物飼料は、粘土鉱物、細砂、カキガラ、シリカ、麦飯石、又は天然塩、炭酸カルシウム、木炭等の微粒子を混合して構成したことを特徴とする鳥用の鉱物飼料。
【請求項４】
鳥籠の横側線材に係止できる係止溝を有する対の自由端部、及びこの対の自由端部に連設された環状の本体把持部で構成した把持体と、この把持体の自由端部が嵌入される切り溝を備えた前記鳥籠の縦側線材に添接できる板状の本体でなる餌冶具であって、
この餌冶具の本体把持部には、長手方向においてテーパー形状であって、断面形状が環状である鳥用の鉱物飼料を把持可能とすることを特徴とした餌冶具と鉱物飼料の構造。
【請求項５】
請求項１に記載の把持体は、本体把持部に対して対の自由端部を短く構成し、この本体把持部の両先端が、前記本体の一面に衝止することを特徴とした餌冶具と鉱物飼料の構造。
【考案の詳細な説明】
【技術分野】
【０００１】
本考案は、鉱物飼料と、その餌冶具と鉱物飼料の構造に関する。
【背景技術】
【０００２】
鉱物飼料に関し、本出願人が提案する実用新案登録第３０７１４８４号の「塩土等用のホルダーケース」（文献（１）とする）において説明する環状の第１室部に大型の塩土（鉱物飼料の一種）を収容する。そして、この大型の塩土は、略扁平筒体の形状である。しかし、この略扁平筒体の形状では、手で把持して鳥に餌として与えるには、安全な手渡しによる給餌が確保されていないこと、また鳥に安心感を与える構成とはなっていないこと等が考えられる。そして、この略扁平筒体の形状では、鳥籠の縦横線材で形成される隙間より挿入するのに難儀であり、実質的には手で把持して給餌することは不可能と考えられる。
【０００３】
【特許文献１】実用新案登録第３０７１４８４号
【考案の開示】
【考案が解決しようとする課題】
【０００４】
前記文献（１）は、鉱物飼料を、鳥籠の縦横線材で形成される隙間より挿入し、手で把持して給餌（手渡しによる給餌）することは不可能と考えられる。従って、鳥との対話及び／又は遊びを通して近親感を生成するには問題がある。殊に手乗りインコ、文鳥類では、この小鳥との対話及び／又は遊びを通して近親感を生成することと、この小鳥のストレス解消等に関しては、改良の余地がある。
【０００５】
また手渡しによる給餌の特徴である「かじらせる」ことで、鳥のストレス解消と、体の動きを確保するとともに、この動きと鉱物飼料の消化力と合わせて、内臓の保護を図るには、従来の鉱物飼料の構造では不可能であった。従って、この手渡しによる給餌の特徴が発揮できる「かじらせる」方法を達成するには、改良の余地がある。
【０００６】
以上のような改良の余地は、本出願人が最も熟知する処であり、下記に詳述する本考案で、これらの改良を図る。
【課題を解決するための手段】
【０００７】
請求項１の考案は、手渡しによる給餌を介して（鳥との間に少し間をおいて）「かじらせる」動作を鳥に付与することで、この鳥のストレス解消と、体の動きを確保するとともに、この動きと鉱物飼料の消化力と合わせて、内臓の保護を図ることを意図する。また請求項１の考案は、手渡しによる給餌を可能とし、鳥との対話及び／又は遊びを通して近親感を生成すること、また手乗りインコ、文鳥類では、この小鳥との対話及び／又は遊びを通して近親感を生成すること、及び／又は小鳥のストレス解消等を図ることを意図する。
【０００８】
請求項１は、鳥籠の餌冶具に取付け及び／又は把持可能な構造の鉱物飼料であって、
この鉱物飼料は、棒形状であり、この棒形状を利用し、前記餌冶具に取付け、取外し自在としたことを特徴とするとともに、手で把持可能な長さを備えたことを特徴とする鳥用の鉱物飼料である。
【０００９】
請求項２の考案は、請求項１の目的を達成すること、この目的を達成するのに最適な鉱物飼料を提供することを意図する。
【００１０】
請求項２は、請求項１に記載の鉱物飼料は、長手方向においてテーパー形状であって、断面形状が環状であることを特徴とする鳥用の鉱物飼料である。
【００１１】
請求項３の考案は、請求項１の目的を達成すること、この目的を達成するのに最適かつ体調に即した鉱物飼料を提供することを意図する。
【００１２】
請求項３は、請求項１に記載の鉱物飼料は、粘土鉱物、細砂、カキガラ、シリカ、麦飯石、又は天然塩、炭酸カルシウム、木炭等の微粒子を混合して構成したことを特徴とする鳥用の鉱物飼料である。
【００１３】
請求項４の考案は、手渡しによる給餌に至る前段階での「かじらせる」動作を鳥に付与することで、この鳥のストレス解消と、体の動きを確保するとともに、この動きと鉱物飼料の消化力と合わせて、内臓の保護を図ることを意図する。また請求項４の考案は、手渡しによる給餌を可能にするための一環として、容易に着脱できる構造を確保すること、またこの利用により、鳥との対話及び／又は遊びを通して近親感を生成し、将来的には「手渡しによる給餌」すること、また手乗りインコ、文鳥類では、この小鳥との対話及び／又は遊びを通して近親感を生成すること、及び／又は小鳥のストレス解消等を図ることを意図する。
【００１４】
請求項４は、鳥籠の横側線材に係止できる係止溝を有する対の自由端部、及びこの対の自由端部に連設された環状の本体把持部で構成した把持体と、この把持体の自由端部が嵌入される切り溝を備えた前記鳥籠の縦側線材に添接できる板状の本体でなる餌冶具であって、
この餌冶具の本体把持部には、長手方向においてテーパー形状であって、断面形状が環状である鳥用の鉱物飼料を把持可能とすることを特徴とした餌冶具と鉱物飼料の構造である。
【００１５】
請求項５の考案は、請求項４の目的を達成すること、この目的を達成するのに最適な鉱物飼料を提供することを意図する。
【００１６】
請求項５は、請求項１に記載の把持体は、本体把持部に対して対の自由端部を短く構成し、この本体把持部の両先端が、前記本体の一面に衝止することを特徴とした餌冶具と鉱物飼料の構造である。
【考案の効果】
【００１７】
請求項１の考案は、鳥籠の餌冶具に取付け及び／又は把持可能な構造の鉱物飼料であって、
鉱物飼料は、棒形状であり、棒形状を利用し、餌冶具に取付け、取外し自在とするとともに、手で把持可能な長さを備える鳥用の鉱物飼料である。
【００１８】
従って、請求項１は、手渡しによる給餌を介して（鳥との間に少し間をおいて）「かじらせる」動作を鳥に付与することで、この鳥のストレス解消と、体の動きが確保できるとともに、この動きと鉱物飼料の消化力と合わせて、内臓の保護が図れること等の特徴がある。また請求項１は、手渡しによる給餌を可能とし、鳥との対話及び／又は遊びを通して近親感を生成できること、また手乗りインコ、文鳥類では、この小鳥との対話及び／又は遊びを通して近親感を生成できること、及び／又は小鳥のストレス解消等が図れること等の特徴がある。
【００１９】
請求項２の考案は、請求項１に記載の鉱物飼料は、長手方向においてテーパー形状であって、断面形状が環状である鳥用の鉱物飼料である。
【００２０】
従って、請求項２は、請求項１の目的を達成できること、この目的を達成するのに最適な鉱物飼料を提供できること等の特徴がある。
【００２１】
請求項３の考案は、請求項１に記載の鉱物飼料は、粘土鉱物、細砂、カキガラ、シリカ、麦飯石、又は天然塩、炭酸カルシウム、木炭等の微粒子を混合して構成した鳥用の鉱物飼料である。
【００２２】
従って、請求項３は、請求項１の目的を達成できること、この目的を達成するのに最適かつ体調に即した鉱物飼料を提供できること等の特徴がある。
【００２３】
請求項４の考案は、鳥籠の横側線材に係止できる係止溝を有する対の自由端部、及び対の自由端部に連設された環状の本体把持部で構成した把持体と、把持体の自由端部が嵌入される切り溝を備えた鳥籠の縦側線材に添接できる板状の本体でなる餌冶具であって、
餌冶具の本体把持部には、長手方向においてテーパー形状であって、断面形状が環状である鳥用の鉱物飼料を把持可能とする餌冶具と鉱物飼料の構造である。
【００２４】
従って、請求項４は、手渡しによる給餌に至る前段階での「かじらせる」動作を鳥に付与することで、この鳥のストレス解消と、体の動きが確保できるとともに、この動きと鉱物飼料の消化力と合わせて、内臓の保護が図れること等の特徴がある。また請求項４は、手渡しによる給餌を可能にするための一環として、容易に着脱できる構造が確保できること、またこの利用により、鳥との対話及び／又は遊びを通して近親感を生成し、将来的には「手渡しによる給餌」できること、また手乗りインコ、文鳥類では、この小鳥との対話及び／又は遊びを通して近親感が生成できること、及び／又は小鳥のストレス解消等が図れること等の特徴がある。
【００２５】
請求項５の考案は、請求項１に記載の把持体は、本体把持部に対して対の自由端部を短く構成し、本体把持部の両先端が、本体の一面に衝止する餌冶具と鉱物飼料の構造である。
【００２６】
従って、請求項５は、請求項４の目的を達成できること、この目的を達成するのに最適な鉱物飼料を提供できること等の特徴がある。
【考案を実施するための最良の形態】
【００２７】
本考案の一例を説明する。
【００２８】
先ず、図面の説明をすると、図１は鉱物飼料を付設した鳥籠の一部欠截の斜視図、図２は鉱物飼料の斜視図、図３は鳥に「かじらせる」動作を説明するための模式図、図４は鳥籠に餌冶具と鉱物飼料を設けた状態の要部の斜視図、図５は図４の背面斜視図、図６は鳥籠の縦横線材と餌冶具との関係を示した側面図、図７は餌冶具を分解して示した斜視図である。
【００２９】
図において１は鉱物飼料で、この鉱物飼料１は粘土鉱物、細砂、カキガラ、シリカ、麦飯石、又は天然塩、炭酸カルシウム、木炭、リン酸カルシウム、硫酸カルシウム等の微粒子を混合して構成したものであって、長手方向１００においてテーパー形状であって、断面形状１０１が環状である。従って、図３に一例を示した如く、手Ｈで把持し、鳥２に「かじらせる」ことができる。そして、この鉱物飼料１は長手方向１００においてテーパー形状及び／又は断面形状１０１が環状であることから、後述する餌冶具に簡易かつワンタッチで支持できる特徴があり、また鳥２が容易に啄むことができ重宝する。そして、この鉱物飼料１の形状は、手Ｈの少なくとも二本による把持に最適であり、何人も違和感なく把持できること等の実益がある。さらに後述する鳥籠の横側線材間の隙間よりスムーズで、破損することなく挿入できる特徴がある。
【００３０】
この餌冶具３は、鳥籠１０の横側線材１０００に係止できる係止溝４００を有する対の自由端部４ａと、この対の自由端部４ａ（自由端部４ａとする）に連設された環状の本体把持部４０１で構成した把持体４と、把持体４の自由端部４ａが嵌入される切り溝５００を備えた鳥籠１０の縦側線材１００１に添接できる板状の本体５で構成する。以上の構成を採用することで、本体５の対の切り溝５００（切り溝５００とする）に把持体４の自由端部４ａをそれぞれ嵌入することで、この本体５と把持体４が一体となり餌冶具３が形成される。この餌冶具３では、把持体４の自由端部４ａと本体把持部４０１との間に上下の段部４０１ａが形成されていることから、この段部４０１ａが本体５に衝止し、本体５より把持体４が必要以上は嵌入されず所定の形状が確保されること、また鉱物飼料１を保持するに最適な空間６が形成されること等が特徴である。そして、この組立てられた餌冶具３を鳥籠１０の横側線材１０００に係止するには、この横側線材１０００間の隙間を利用し、把持体４の自由端部４ａを挿入する。この挿入した自由端部４ａに設けた係止溝４００を、この横側線材１０００に係止することで、餌冶具３が支持されること、及び本体５が縦横線材１００１、１０００に衝止されること等の特徴があり、この餌冶具３の安定設置と、ブレがなくなる。また鉱物飼料１を略垂直状態に保持でき、鳥２の啄ばみを助けることができること、又はこの鳥２の啄ばみ状態でも、鉱物飼料１は安定していること、またこの鉱物飼料１は常に略垂直状態に保持できること等の特徴がある。またこの餌冶具３は分解組立てが自由であり、収容、販売又は運搬等に有益である。
【図面の簡単な説明】
【００３１】
【図１】図１は鉱物飼料を付設した鳥籠の一部欠截の斜視図
【図２】図２は鉱物飼料の斜視図
【図３】図３は鳥に「かじらせる」動作を説明するための模式図
【図４】図４は鳥籠に餌冶具と鉱物飼料を設けた状態の要部の斜視図
【図５】図５は図４の背面斜視図
【図６】図６は鳥籠の縦横線材と餌冶具との関係を示した側面図
【図７】図７は餌冶具を分解して示した斜視図
【符号の説明】
【００３２】
１              鉱物飼料
１００          長手方向
１０１          断面形状
２              鳥
３              餌冶具
４              把持体
４ａ            自由端部
４００          係止溝
４０１          本体把持部
４０１ａ        段部
５              本体
５００          切り溝
１０            鳥籠
１０００        横側線材
１００１        縦側線材
Ｈ              手
【図１】
0003111905.tif 000003
【図２】
0003111905.tif 000004
【図３】
0003111905.tif 000005
【図４】
0003111905.tif 000006
【図５】
0003111905.tif 000007
【図６】
0003111905.tif 000008
【図７】
0003111905.tif 000009